(57)【要約】      （修正有）【課題】大げさな工作道具を用いないで、ユーザーごとに異なる多様なニーズに応じたウォールステッカーなどを簡単に手作りすることができるステッカーシートを提供する。【解決手段】粘着層１０１０と、粘着層１０１０の第一の粘着面１０１１に貼合わせられた、剥離できる第一の剥離シート１１００と、粘着層１０１０の第二の粘着面１０１２に貼合わせられた、剥離することができる第二の剥離シート１２００と、を備え、第二の剥離シート１２００の、粘着層１０１０に貼合わせられた剥離面１２０１の裏側の表面１２０２は、筆記具を利用して絵又は文字を記載できる性質を有しており、粘着層１０１０と第一の剥離シート１１００との間の粘着力は、粘着層１０１０と第二の剥離シート１２００との間の粘着力よりも小さい、ウォールステッカーシート１０００である。【選択図】図１
0003184929.tif 000002
【実用新案登録請求の範囲】
【請求項１】
粘着層と、
前記粘着層の第一の粘着面に貼合わせられた、剥離することができる第一の剥離シートと、
前記粘着層の第二の粘着面に貼合わせられた、剥離することができる第二の剥離シートと、
を備え、
前記第二の剥離シートの、前記粘着層に貼合わせられた面の裏側の面は、筆記具を利用して絵または文字を記載することができる性質を有しており、
前記粘着層と前記第一の剥離シートとの間の粘着力は、前記粘着層と前記第二の剥離シートとの間の粘着力よりも小さい、ステッカーシート。
【請求項２】
前記第一の剥離シートのサイズは、前記第二の剥離シートのサイズよりも小さい、請求項１に記載のステッカーシート。
【請求項３】
前記第一の剥離シートのサイズは、前記粘着層のサイズと同じである、請求項２に記載のステッカーシート。
【考案の詳細な説明】
【技術分野】
【０００１】
本考案は、ウォールステッカーなどを作成するためのステッカーシートに関するものである。
【背景技術】
【０００２】
装飾を目的とする装飾粘着シートが、屋外および屋内の装飾などで幅広く用いられている（たとえば、特許文献１参照）。
【０００３】
このような装飾粘着シートは、アプリケーションフィルムを用いることにより装飾粘着シートを被着体に転着させるものであり、多様な場面で利用されている。
【先行技術文献】
【特許文献】
【０００４】
【特許文献１】特開平５−１４７３９４号公報
【考案の概要】
【考案が解決しようとする課題】
【０００５】
ところで、このような屋外および屋内の装飾などを柔軟にカスタマイズしたいというニーズが、高まってきている。
【０００６】
たとえば、ユーザーの嗜好に応じた布地または写真などをデザインすることで手作りしたウォールステッカーなどを屋外および屋内の装飾にもっと利用したいといったニーズが、生じている。
【０００７】
しかしながら、大げさな工作道具を用いないで、ユーザーごとに異なる多様なニーズに応じたウォールステッカーなどを簡単に手作りすることは、困難であった。
【０００８】
本考案は、上述した従来の課題を考慮し、ユーザーごとに異なる多様なニーズに応じたウォールステッカーなどをより簡単に手作りすることが可能な、ステッカーシートを提供することを目的とする。
【課題を解決するための手段】
【０００９】
第１の本考案は、粘着層と、
前記粘着層の第一の粘着面に貼合わせられた、剥離することができる第一の剥離シートと、
前記粘着層の第二の粘着面に貼合わせられた、剥離することができる第二の剥離シートと、
を備え、
前記第二の剥離シートの、前記粘着層に貼合わせられた面の裏側の面は、筆記具を利用して絵または文字を記載することができる性質を有しており、
前記粘着層と前記第一の剥離シートとの間の粘着力は、前記粘着層と前記第二の剥離シートとの間の粘着力よりも小さい、ステッカーシートである。
【００１０】
第２の本考案は、前記第一の剥離シートのサイズは、前記第二の剥離シートのサイズよりも小さい、第１の本考案のステッカーシートである。
【００１１】
第３の本考案は、前記第一の剥離シートのサイズは、前記粘着層のサイズと同じである、第２の本考案のステッカーシートである。
【考案の効果】
【００１２】
本考案により、ユーザーごとに異なる多様なニーズに応じたウォールステッカーなどをより簡単に手作りすることが可能な、ステッカーシートを提供することができる。
【図面の簡単な説明】
【００１３】
【図１】（ａ）本考案にかかる実施の形態のウォールステッカーシートの模式的な斜視図、（ｂ）本考案にかかる実施の形態のウォールステッカーシートの厚み方向を含む断面に関する模式的な部分断面図
【図２】（ａ）本考案にかかる実施の形態のウォールステッカーシートの模式的な上面図、（ｂ）本考案にかかる実施の形態のウォールステッカーシートの模式的な下面図
【図３】（ａ）本考案にかかる実施の形態の、装飾シートが剥離された第一の剥離シートの代わりに粘着層に貼付されたウォールステッカーシートの模式的な上面図、（ｂ）本考案にかかる実施の形態の、装飾シートが剥離された第一の剥離シートの代わりに粘着層に貼付されたウォールステッカーシートの模式的な下面図
【図４】（ａ）本考案にかかる実施の形態の、切り抜き用図形が第二の剥離シートの表面に描画されたウォールステッカーシートの模式的な上面図、（ｂ）本考案にかかる実施の形態の、切り抜き用図形が第二の剥離シートの表面に描画されたウォールステッカーシートの模式的な下面図
【図５】（ａ）本考案にかかる実施の形態の、ウォールステッカーシートから切り抜かれたウォールステッカーの模式的な上面図、（ｂ）本考案にかかる実施の形態の、ウォールステッカーシートから切り抜かれたウォールステッカーの模式的な下面図
【図６】本考案にかかる実施の形態の、被着体に貼付されたウォールステッカーの模式的な上面図
【図７】本考案にかかる実施の形態の、ウォールステッカーシートが備える粘着層の厚み方向を含む断面に関する模式的な部分拡大断面図（その一）
【図８】本考案にかかる実施の形態の、ウォールステッカーシートが備える粘着層の厚み方向を含む断面に関する模式的な部分拡大断面図（その二）
【図９】本考案にかかる実施の形態の、ウォールステッカーシートが備える粘着層の厚み方向を含む断面に関する模式的な部分拡大断面図（その三）
【図１０】本考案にかかる実施の形態の、ウォールステッカーシートが備える粘着層の厚み方向を含む断面に関する模式的な部分拡大断面図（その四）
【考案を実施するための形態】
【００１４】
以下、図面を参照しながら、本考案にかかる実施の形態について詳細に説明する。
【００１５】
（実施の形態）
はじめに、図１および２を主として参照しながら、本実施の形態のウォールステッカーシート１０００の構成について具体的に説明する。
【００１６】
ここに、図１（ａ）は本考案にかかる実施の形態のウォールステッカーシート１０００の模式的な斜視図であり、図１（ｂ）は本考案にかかる実施の形態のウォールステッカーシート１０００の厚み方向を含む断面に関する模式的な部分断面図であり、図２（ａ）は本考案にかかる実施の形態のウォールステッカーシート１０００の模式的な上面図であり、図２（ｂ）は本考案にかかる実施の形態のウォールステッカーシート１０００の模式的な下面図である。
【００１７】
ウォールステッカーシート１０００は、粘着層１０１０と、第一の剥離シート１１００と、第二の剥離シート１２００と、を備える。
【００１８】
第一の剥離シート１１００は、粘着層１０１０の第一の粘着面１０１１に貼合わせられた、剥離することができる剥離シートである。
【００１９】
第一の剥離シート１１００は、紙などである。
【００２０】
第一の剥離シート１１００の、粘着層１０１０に貼合わせられた剥離面１１０１には、樹脂などによるコーティングが施されている。
【００２１】
第一の剥離シート１１００の、粘着層１０１０に貼合わせられた剥離面１１０１の裏側の表面１１０２の色は、淡黄色である。
【００２２】
第二の剥離シート１２００は、粘着層１０１０の第二の粘着面１０１２に貼合わせられた、剥離することができる剥離シートである。
【００２３】
第二の剥離シート１２００は、紙などである。
【００２４】
第二の剥離シート１２００の、粘着層１０１０に貼合わせられた剥離面１２０１には、樹脂などによるコーティングが施されている。
【００２５】
第二の剥離シート１２００の、粘着層１０１０に貼合わせられた剥離面１２０１の裏側の表面１２０２の色は、白色である。
【００２６】
そして、第二の剥離シート１２００の、粘着層１０１０に貼合わせられた剥離面１２０１の裏側の表面１２０２は、筆記具を利用して絵または文字を記載することができる性質を有している。
【００２７】
粘着層１０１０と第一の剥離シート１１００との間の粘着力は、粘着層１０１０と第二の剥離シート１２００との間の粘着力よりも小さい。
【００２８】
第一の剥離シート１１００のサイズは、第二の剥離シート１２００のサイズよりもやや小さく、粘着層１０１０のサイズとほぼ同じである。
【００２９】
より具体的には、第一の剥離シート１１００、第二の剥離シート１２００および粘着層１０１０の形状は同様な矩形のシート形状であり、これらは粘着層１０１０が第一の剥離シート１１００と第二の剥離シート１２００とによって挟み込まれるように重ね合わされているが、第一の剥離シート１１００および粘着層１０１０の幅Ｗ１は第二の剥離シート１２００の幅Ｗ２よりもやや小さく、第二の剥離シート１２００の一端辺は第一の剥離シート１１００および粘着層１０１０の一端辺よりも外側にはみ出している。
【００３０】
以上においては、本実施の形態のウォールステッカーシート１０００の構成について具体的に説明した。
【００３１】
つぎに、本実施の形態のウォールステッカーシート１０００を如何にして使用するかについて具体的に説明する。
【００３２】
まず、図３に示されているように、第一の剥離シート１１００を粘着層１０１０から剥離し、布地または写真などである装飾シート１３００を剥離された第一の剥離シート１１００の代わりに粘着層１０１０に貼付する。
【００３３】
ここに、図３（ａ）は本考案にかかる実施の形態の、装飾シート１３００が剥離された第一の剥離シート１１００の代わりに粘着層１０１０に貼付されたウォールステッカーシート１０００の模式的な上面図であり、図３（ｂ）は本考案にかかる実施の形態の、装飾シート１３００が剥離された第一の剥離シート１１００の代わりに粘着層１０１０に貼付されたウォールステッカーシート１０００の模式的な下面図である。
【００３４】
前述されたように、第一の剥離シート１１００の、粘着層１０１０に貼合わせられた剥離面１１０１には、樹脂などによるコーティングが施されている。
【００３５】
したがって、第一の剥離シート１１００を粘着層１０１０から容易に剥離し、装飾シート１３００が貼付される粘着層１０１０を露出させることができる。
【００３６】
前述されたように、第一の剥離シート１１００の表面１１０２の色は淡黄色であり、第二の剥離シート１２００の表面１２０２の色は白色である。
【００３７】
したがって、ユーザーが第一の剥離シート１１００ではなく誤って第二の剥離シート１２００を剥離しようとしてしまう恐れは、少ない。
【００３８】
前述されたように、粘着層１０１０と第一の剥離シート１１００との間の粘着力は、粘着層１０１０と第二の剥離シート１２００との間の粘着力よりも小さい。
【００３９】
したがって、第二の剥離シート１２００が第一の剥離シート１１００が粘着層１０１０から剥離されるときに一緒に剥離されてしまう恐れは、少ない。
【００４０】
したがって、第一の剥離シート１１００のみを粘着層１０１０から容易に剥離することができる。
【００４１】
より具体的には、前述されたように第一の剥離シート１１００および粘着層１０１０の一端辺よりも外側にはみ出している第二の剥離シート１２００の一端辺の近傍を起点にして、第一の剥離シート１１００のみを粘着層１０１０から容易に剥離することができる。
【００４２】
もちろん、第一の剥離シート１１００の代わりに貼付される装飾シート１３００を、前述されたように第二の剥離シート１２００のサイズよりもやや小さく粘着層１０１０のサイズとほぼ同じである第一の剥離シート１１００のサイズに裁断しておくことが、望ましい。
【００４３】
ついで、図４に示されているように、第二の剥離シート１２００の表面１２０２に鉛筆またはフェルトペンなどの筆記具を利用して切り抜き用図形２０を描画する。
【００４４】
ここに、図４（ａ）は本考案にかかる実施の形態の、切り抜き用図形２０が第二の剥離シート１２００の表面１２０２に描画されたウォールステッカーシート１０００の模式的な上面図であり、図４（ｂ）は本考案にかかる実施の形態の、切り抜き用図形２０が第二の剥離シート１２００の表面１２０２に描画されたウォールステッカーシート１０００の模式的な下面図である。
【００４５】
前述されたように、第二の剥離シート１２００は紙などであり、第二の剥離シート１２００の表面１２０２の色は白色である。
【００４６】
したがって、第二の剥離シート１２００の表面１２０２に通常の鉛筆またはフェルトペンなどの筆記具を利用して切り抜き用図形２０を容易に描画することができる。
【００４７】
もちろん、剥離された第一の剥離シート１１００の代わりに粘着層１０１０に貼付された装飾シート１３００、および粘着層１０１０の一端辺よりも外側にはみ出している第二の剥離シート１２００の一端辺の近傍には、切り抜き用図形２０を描画しないことが、望ましい。
【００４８】
ついで、図５に示されているように、はさみまたはカッターなどを利用して、ウォールステッカーシート１０００から第二の剥離シート１２００の表面１２０２に描画された切り抜き用図形２０に沿ってウォールステッカー２０００を切り抜く。
【００４９】
ここに、図５（ａ）は本考案にかかる実施の形態の、ウォールステッカーシート１０００から切り抜かれたウォールステッカー２０００の模式的な上面図であり、図５（ｂ）は本考案にかかる実施の形態の、ウォールステッカーシート１０００から切り抜かれたウォールステッカー２０００の模式的な下面図である。
【００５０】
前述されたように、剥離された第一の剥離シート１１００の代わりに粘着層１０１０に貼付された装飾シート１３００は布地または写真などであり、第二の剥離シート１２００は紙などである。
【００５１】
したがって、はさみまたはカッターなどを利用してウォールステッカーシート１０００からウォールステッカー２０００を容易に切り抜くことができる。
【００５２】
そして、図６に示されているように、第二の剥離シート１２００を粘着層１０１０から剥離し、ウォールステッカー２０００を壁などの被着体３０００に貼付する。
【００５３】
ここに、図６は、本考案にかかる実施の形態の、被着体３０００に貼付されたウォールステッカー２０００の模式的な上面図である。
【００５４】
前述されたように、第二の剥離シート１２００の、粘着層１０１０に貼合わせられた剥離面１２０１には、樹脂などによるコーティングが施されている。
【００５５】
したがって、第二の剥離シート１２００を粘着層１０１０から容易に剥離し、被着体３０００に貼付される粘着層１０１０を露出させることができる。
【００５６】
以上においては、本実施の形態のウォールステッカーシート１０００を如何にして使用するかについて具体的に説明した。
【００５７】
なお、ウォールステッカーシート１０００が備える粘着層１０１０の具体的な構成については、図７〜１０に示されているようにさまざまな実施例が考えられる。
【００５８】
ここに、図７〜１０は、本考案にかかる実施の形態の、ウォールステッカーシート１０００が備える粘着層１０１０の厚み方向を含む断面に関する模式的な部分拡大断面図（その一〜四）である。
【００５９】
図７においては、粘着剤層１０１０ａのみから構成される単層による粘着層１０１０の構成が例示されている。
【００６０】
このような構成は、装飾シート１３００の表面粗さが比較的に大きく、被着体３０００の表面粗さが比較的に小さい場合などには、特に有効である。
【００６１】
なぜならば、粘着層１０１０の構成が単層による簡易なものであっても、装飾シート１３００の表面粗さが比較的に大きいために粘着層１０１０と装飾シート１３００との間の粘着力は比較的に大きく、被着体３０００の表面粗さが比較的に小さいために粘着層１０１０と被着体３０００との間の粘着力は比較的に小さいので、粘着層１０１０に貼付された装飾シート１３００が簡単に剥がれてしまう恐れは少なく、ユーザーは粘着層１０１０で被着体３０００に貼付されたウォールステッカー２０００を容易に貼り直すことができるからである。
【００６２】
もちろん、このような構成においては、前述されたように粘着層１０１０と第一の剥離シート１１００との間の粘着力を粘着層１０１０と第二の剥離シート１２００との間の粘着力よりも小さくするために、第一の剥離シート１１００の剥離面１１０１に施されているコーティングの表面粗さを比較的に小さくし、第二の剥離シート１２００の剥離面１２０１に施されているコーティングの表面粗さを比較的に大きくすることが望ましい。
【００６３】
図８においては、第一の粘着面１０１１から第二の粘着面１０１２に向かって積層された、粘着剤層１０１０ｂおよび粘着剤層１０１０ｃから構成される二層による粘着層１０１０の構成が例示されている。
【００６４】
このような構成は、粘着層１０１０と装飾シート１３００との間の粘着力を積極的に大きくし、粘着層１０１０と被着体３０００との間の粘着力を積極的に小さくしたい場合などには、特に有効である。
【００６５】
なぜならば、装飾シート１３００の表面粗さおよび／または被着体３０００の表面粗さがウォールステッカー２０００の使用場面などによってさまざまであって一律ではないことが予想されても、粘着剤層１０１０ｂに強粘着剤を利用することで粘着層１０１０と装飾シート１３００との間の粘着力を積極的に大きくし、粘着剤層１０１０ｃに弱粘着剤を利用することで粘着層１０１０と被着体３０００との間の粘着力は積極的に小さくすることができるので、粘着層１０１０に貼付された装飾シート１３００が簡単に剥がれてしまう恐れは少なく、ユーザーは粘着層１０１０で被着体３０００に貼付されたウォールステッカー２０００を容易に貼り直すことができるからである。
【００６６】
図９においては、第一の粘着面１０１１から第二の粘着面１０１２に向かって積層された、粘着剤層１０１０ｂ、芯材層１０１０ｘおよび粘着剤層１０１０ｃから構成される三層による粘着層１０１０の構成が例示されている。
【００６７】
このような構成は、粘着剤層１０１０ｂと粘着剤層１０１０ｃとを直接的に接触させたくない場合などには、特に有効である。
【００６８】
なぜならば、粘着剤層１０１０ｂに利用される粘着剤と粘着剤層１０１０ｃに利用される粘着剤との間で望ましくない化学反応などが起こる可能性があっても、これらが直接的に接触しないように安定性の高い芯材層１０１０ｘを介在させることができるからである。
【００６９】
図１０においては、第一の粘着面１０１１から第二の粘着面１０１２に向かって積層された、粘着剤層１０１０ｂ、芯材層１０１０ｙ、粘着剤層１０１０ｄ、芯材層１０１０ｚおよび粘着剤層１０１０ｃから構成される五層による粘着層１０１０の構成が例示されている。
【００７０】
このような構成は、ウォールステッカーシート１０００の物理的および／または化学的な性質を調節したい場合などには、特に有効である。
【００７１】
なぜならば、粘着剤層１０１０ｂおよび粘着剤層１０１０ｃの構成を工夫するだけではウォールステッカーシート１０００に要求される性質を実現することが困難であっても、これら以外の芯材層１０１０ｙ、粘着剤層１０１０ｄおよび芯材層１０１０ｚの構成を工夫することにより大きな設計上の自由度を確保することができるからである。
【００７２】
なお、ウォールステッカーシート１０００は、本発明のステッカーシートの一例である。
【００７３】
また、粘着層１０１０は、本発明の粘着層の一例である。
【００７４】
また、第一の粘着面１０１１は、本発明の粘着層の第一の粘着面の一例である。
【００７５】
また、第二の粘着面１０１２は、本発明の粘着層の第二の粘着面の一例である。
【００７６】
また、第一の剥離シート１１００は、本発明の第一の剥離シートの一例である。
【００７７】
また、第二の剥離シート１２００は、本発明の第二の剥離シートの一例である。
【００７８】
また、剥離面１２０１は、本発明の第二の剥離シートの、本発明の粘着層に貼合わせられた面の一例である。
【００７９】
また、表面１２０２は、本発明の第二の剥離シートの、本発明の粘着層に貼合わせられた面の裏側の面の一例である。
【００８０】
また、切り抜き用図形２０は、本発明の絵または文字の一例である。
【産業上の利用可能性】
【００８１】
本考案におけるステッカーシートは、ユーザーごとに異なる多様なニーズに応じたウォールステッカーなどをより簡単に手作りすることが可能であり、ウォールステッカーなどを作成するためのステッカーシートに有用である。
【符号の説明】
【００８２】
１０００  ウォールステッカーシート
１０１０  粘着層
１０１１  第一の粘着面
１０１２  第二の粘着面
１１００  第一の剥離シート
１１０１  剥離面
１１０２  表面
１２００  第二の剥離シート
１２０１  剥離面
１２０２  表面
【図１】
0003184929.tif 000003
【図２】
0003184929.tif 000004
【図３】
0003184929.tif 000005
【図４】
0003184929.tif 000006
【図５】
0003184929.tif 000007
【図６】
0003184929.tif 000008
【図７】
0003184929.tif 000009
【図８】
0003184929.tif 000010
【図９】
0003184929.tif 000011
【図１０】
0003184929.tif 000012